(57)【特許請求の範囲】
【請求項１】
画像を表示する表示部と、
前記表示部に画像データを送信するデータ送信部と、
前記表示部と前記データ送信部との間で画像データをデータ処理することにより、前記表示部に画像を所定の順序で更新させるデータ処理部とを備え、
前記データ処理部は、
表示タイミングの画像を、この画像の前後に表示される所定枚数の画像と平均化して前記表示部に表示させるとともに、前記表示部における画像の更新速度に基づいて前記所定枚数を変更するフィルター部を有することを特徴とする画像表示装置。
【請求項２】
画像を表示する表示部と、
前記表示部に画像データを送信するデータ送信部と、
前記表示部と前記データ送信部との間で画像データをデータ処理することにより、前記表示部に画像を所定の順序で更新させるデータ処理部とを備え、
前記データ処理部は、
表示タイミングの画像を、この画像の前後に表示される所定枚数の画像とそれぞれ別個の重み係数で重み付け平均して前記表示部に表示させるとともに、前記表示部における画像の更新速度に基づいて前記重み係数を変更するフィルター部を有することを特徴とする画像表示装置。
【請求項３】
請求項１または２記載の画像表示装置において、
前記表示部における画像の表示順序の反転を指示する反転指示と、前記表示部における画像の更新の停止を指示する停止指示とがユーザーから入力される第１入力部を備え、
前記データ処理部は、
前記第１入力部に前記反転指示が入力されると、更新速度を小さくして前記表示部に画像を前記所定の順序と逆の順序に更新させ、
前記第１入力部に前記停止指示が入力されると、表示タイミングの画像を前記表示部に表示させるとともに、前記表示部における画像の更新を停止させることを特徴とする画像表示装置。
【請求項４】
請求項３記載の画像表示装置において、
前記表示部は、当該表示部における画像の更新枚数を示すインジケータを、画像とともに表示することを特徴とする画像表示装置。
【請求項５】
請求項３記載の画像表示装置において、
前記表示部における画像の更新の度に音声を出力する音声出力装置を備えることを特徴とする画像表示装置。
【請求項６】
請求項１〜５の何れか一項に記載の画像表示装置において、
前記表示部における画像の更新速度の変更を指示する速度変更指示がユーザーから入力される第２入力部を備え、
前記データ処理部は、前記第２入力部に前記速度変更指示が入力されると、この速度変更指示に基づいて、前記表示部における画像の更新速度と、前記所定枚数とを変更することを特徴とする画像表示装置。
【請求項７】
請求項６記載の画像表示装置において、
前記フィルター部は、
前記表示部に所定更新速度以上の更新速度で画像を更新させる場合に、前記表示タイミングの画像を、前記所定枚数の画像とそれぞれ別個の重み係数で重み付け平均して前記表示部に表示させ、
前記第２入力部に前記速度変更指示が入力された場合に、当該フィルター部の振幅周波数特性が更新速度の変更の前後でほぼ一定となるよう、更新速度に基づいて前記重み係数を設定することを特徴とする画像表示装置。
【請求項８】
請求項１〜７の何れか一項に記載の画像表示装置において、
前記データ処理部は、
前記表示部における表示画像の一部または全体のコントラスト、彩度及び解像度の少なくとも１つを、画像の更新速度に基づいて変化させることを特徴とする画像表示装置。
【請求項９】
画像データをデータ送信装置から表示装置に送信するデータ送信工程と、
前記表示装置によって画像を表示する表示工程と、
前記表示装置と前記データ送信装置との間で画像データをデータ処理することにより、前記表示装置に画像を所定の順序で更新させるデータ処理工程とを備え、
前記データ処理工程においては、
表示タイミングの画像を、この画像の前後に表示される所定枚数の画像と平均化して前記表示装置に表示させるとともに、前記表示装置における画像の更新速度に基づいて前記所定枚数を変更するフィルター処理工程を行うことを特徴とする画像表示方法。
【請求項１０】
画像データをデータ送信装置から表示装置に送信するデータ送信工程と、
前記表示装置によって画像を表示する表示工程と、
前記表示装置と前記データ送信装置との間で画像データをデータ処理することにより、前記表示装置に画像を所定の順序で更新させるデータ処理工程とを備え、
前記データ処理工程においては、
表示タイミングの画像を、この画像の前後に表示される所定枚数の画像とそれぞれ別個の重み係数で重み付け平均して前記表示装置に表示させるとともに、前記表示装置における画像の更新速度に基づいて前記重み係数を変更するフィルター処理工程を行うことを特徴とする画像表示方法。
【請求項１１】
請求項９または１０記載の画像表示方法において、
前記データ処理工程においては、
前記表示装置における画像の表示順序の反転を指示する反転指示に基づいて、更新速度を小さくして前記表示装置に画像を前記所定の順序と逆の順序に更新させ、
前記表示装置における画像の更新の停止を指示する停止指示に基づいて、表示タイミングの画像を前記表示装置に表示させるとともに、前記表示装置における画像の更新を停止させることを特徴とする画像表示方法。
【請求項１２】
請求項１１記載の画像表示方法において、
前記表示工程においては、前記表示装置における画像の更新枚数を示すインジケータを、画像とともに表示することを特徴とする画像表示方法。
【請求項１３】
請求項１１記載の画像表示方法において、
前記表示工程においては、前記表示装置における画像の更新の度に音声出力装置から音声を出力することを特徴とする画像表示方法。
【請求項１４】
請求項９〜１３の何れか一項に記載の画像表示方法において、
前記データ処理工程においては、
前記表示装置における画像の更新速度の変更を指示する速度変更指示に基づいて、前記表示装置における画像の更新速度と、前記所定枚数とを変更することを特徴とする画像表示方法。
【請求項１５】
請求項１４記載の画像表示方法において、
前記フィルター処理工程においては、
前記表示装置に所定更新速度以上の更新速度で画像を更新させる場合に、前記表示タイミングの画像を、前記所定枚数の画像とそれぞれ別個の重み係数で重み付け平均して前記表示装置に表示させ、
前記速度変更指示に基づいて、前記フィルター処理工程における振幅周波数特性が更新速度の変更の前後でほぼ一定となるよう、更新速度に基づいて前記重み係数を設定することを特徴とする画像表示方法。
【請求項１６】
請求項９〜１５の何れか一項に記載の画像表示方法において、
前記データ処理工程においては、
前記表示装置における表示画像の一部または全体のコントラスト、彩度及び解像度の少なくとも１つを、画像の更新速度に基づいて変化させることを特徴とする画像表示方法。
【請求項１７】
画像データをデータ送信装置から表示装置に送信するデータ送信処理と、
前記表示装置によって画像を表示する表示処理と、
前記表示装置と前記データ送信装置との間で画像データをデータ処理することにより、前記表示装置に画像を所定の順序で更新させるデータ処理とを行うためのコンピューターに、
前記データ処理においては、
表示タイミングの画像を、この画像の前後に表示される所定枚数の画像と平均化して前記表示装置に表示させるとともに、前記表示装置における画像の更新速度に基づいて前記所定枚数を変更するフィルター処理を行わせることを特徴とする画像表示プログラム。
【請求項１８】
画像データをデータ送信装置から表示装置に送信するデータ送信処理と、
前記表示装置によって画像を表示する表示処理と、
前記表示装置と前記データ送信装置との間で画像データをデータ処理することにより、前記表示装置に画像を所定の順序で更新させるデータ処理とを行うためのコンピューターに、
前記データ処理においては、
表示タイミングの画像を、この画像の前後に表示される所定枚数の画像とそれぞれ別個の重み係数で重み付け平均して前記表示装置に表示させるとともに、前記表示装置における画像の更新速度に基づいて前記重み係数を変更するフィルター処理を行わせることを特徴とする画像表示プログラム。
【請求項１９】
請求項１７または１８記載の画像表示プログラムにおいて、
前記コンピューターに、
前記表示装置における画像の表示順序の反転を指示する反転指示がユーザーから指示されると、更新速度を小さくして前記表示装置に画像を前記所定の順序と逆の順序に更新させ、
前記表示装置における画像の更新の停止を指示する停止指示がユーザーから指示されると、表示タイミングの画像を前記表示装置に表示させるとともに、前記表示装置における画像の更新を停止させることを特徴とする画像表示プログラム。
【請求項２０】
請求項１９記載の画像表示プログラムにおいて、
前記コンピューターに、前記表示装置における画像の更新枚数を示すインジケータを、画像とともに表示させることを特徴とする画像表示プログラム。
【請求項２１】
請求項１９記載の画像表示プログラムにおいて、
前記コンピューターに、前記表示装置における画像の更新の度に音声出力装置から音声を出力させることを特徴とする画像表示プログラム。
【請求項２２】
請求項１７〜２１の何れか一項に記載の画像表示プログラムにおいて、
前記コンピューターに、
前記表示装置における画像の更新速度の変更を指示する速度変更指示がユーザーから指示されると、この速度変更指示に基づいて、前記表示装置における画像の更新速度と、前記所定枚数とを変更させることを特徴とする画像表示プログラム。
【請求項２３】
請求項２２記載の画像表示プログラムにおいて、
前記コンピューターに、
前記表示タイミングの画像を、前記所定枚数の画像とそれぞれ別個の重み係数で重み付け平均して前記表示装置に表示させ、
前記速度変更指示がユーザーから指示された場合に、前記フィルター処理における振幅周波数特性が更新速度の変更の前後でほぼ一定となるよう、更新速度に基づいて前記重み係数を設定させることを特徴とする画像表示プログラム。
【請求項２４】
請求項１７〜２３の何れか一項に記載の画像表示プログラムにおいて、
前記コンピューターに、
前記表示装置における表示画像の一部または全体のコントラスト、彩度及び解像度の少なくとも１つを、画像の更新速度に基づいて変化させることを特徴とする画像表示プログラム。
【発明の詳細な説明】
【技術分野】
【０００１】
本発明は、複数枚の静止画を連続して表示する画像表示装置、画像表示方法及び画像表示プログラムに関する。
【背景技術】
【０００２】
近年、多量のデジタル静止画像を保存可能な画像データベースが開発されている。この画像データベースから所望の静止画像をユーザーに選出させる方法として、例えば、保存された画像を高速で更新することにより順番に表示して、画像をユーザーに選択させる方法がある（例えば、特許文献１〜３参照）。
【特許文献１】特開平５−９４５０３号公報
【特許文献２】特開平５−２３２９１４号公報
【特許文献３】特開平５−３２４７８３号公報
【発明の開示】
【発明が解決しようとする課題】
【０００３】
しかしながら、人間の視覚特性は、表示画面に極度な点滅があると、嫌悪感を示す場合がある。そのため、上記特許文献に開示のように複数枚の静止画像を高速で更新して表示する場合には、画像間の相関が少ないため、更新の度にユーザーが点滅を感じ、ストレスを受けてしまう。
【０００４】
本発明の課題は、ユーザーにストレスを感じさせることなく複数枚の静止画像を更新して表示することができる画像表示装置、画像表示方法及び画像表示プログラムを提供することを目的とする。
【課題を解決するための手段】
【０００５】
請求項１記載の発明は、画像表示装置であって、
画像を表示する表示部と、
前記表示部に画像データを送信するデータ送信部と、
前記表示部と前記データ送信部との間で画像データをデータ処理することにより、前記表示部に画像を所定の順序で更新させるデータ処理部とを備え、
前記データ処理部は、
表示タイミングの画像を、この画像の前後に表示される所定枚数の画像と平均化して前記表示部に表示させるとともに、前記表示部における画像の更新速度に基づいて前記所定枚数を変更するフィルター部を有することを特徴とする。
また、請求項２記載の発明は、画像表示装置であって、
画像を表示する表示部と、
前記表示部に画像データを送信するデータ送信部と、
前記表示部と前記データ送信部との間で画像データをデータ処理することにより、前記表示部に画像を所定の順序で更新させるデータ処理部とを備え、
前記データ処理部は、
表示タイミングの画像を、この画像の前後に表示される所定枚数の画像とそれぞれ別個の重み係数で重み付け平均して前記表示部に表示させるとともに、前記表示部における画像の更新速度に基づいて前記重み係数を変更するフィルター部を有することを特徴とする。
【０００６】
ここで、画像とは、デジタルの静止画像のことである。
また、更新速度とは、単位時間当たりに更新される画像枚数のことであり、更新とは、異なる画像データの画像を表示させることである。
また、画像を平均化して表示するとは、表示部の画素毎に画像の信号値を平均して表示することをいう。平均化とは、信号値をそのまま平均することとしても良いし、重み付けしてから平均することとしても良い。
【０００７】
請求項１記載の発明によれば、データ処理部のフィルター部は表示タイミングの画像を、この画像の前後に表示される所定枚数の画像と平均化して表示部に表示させ、表示部における画像の更新速度に基づいて前記所定枚数を変更するので、従来と比較して、表示される画像間の相関が高くなる。従って、画像の更新により生じる点滅が低減されるため、従来と異なり、ユーザーにストレスを感じさせることなく複数枚の静止画像を切り替えて表示することができる。
また、請求項２記載の発明によれば、データ処理部のフィルター部は表示タイミングの画像を、この画像の前後に表示される所定枚数の画像とそれぞれ別個の重み係数で重み付け平均して表示部に表示させ、表示部における画像の更新速度に基づいて前記重み係数を変更するので、従来と比較して、表示される画像間の相関が高くなる。従って、画像の更新により生じる点滅が低減されるため、従来と異なり、ユーザーにストレスを感じさせることなく複数枚の静止画像を切り替えて表示することができる。
【０００８】
なお、データ送信部は、表示部に送信するための画像データをハードディスクドライブ（ＨＤＤ）等の記憶装置から読み出すこととしても良いし、フロッピー（登録商標）ディスク（ＦＤ）やＣＤ−ＲＯＭ等の記録媒体から読み出すこととしても良いし、インターネット等の回線から受信することとしても良い。
【０００９】
請求項３記載の発明は、請求項１または２記載の画像表示装置において、
前記表示部における画像の表示順序の反転を指示する反転指示と、前記表示部における画像の更新の停止を指示する停止指示とがユーザーから入力される第１入力部を備え、
前記データ処理部は、
前記第１入力部に前記反転指示が入力されると、更新速度を小さくして前記表示部に画像を前記所定の順序と逆の順序に更新させ、
前記第１入力部に前記停止指示が入力されると、表示タイミングの画像を前記表示部に表示させるとともに、前記表示部における画像の更新を停止させることを特徴とする。
【００１０】
請求項３記載の発明によれば、或る画像で表示の更新を停止させたい場合に、更新速度が大きくて当該画像を過ぎてしまっても、反転指示の入力により、データ処理部が表示部に画像を逆の順序に更新させるので、所望の画像が再度表示されたときに停止指示を入力し、画像の更新を停止させることができる。また、表示部が逆の順序で画像を更新するときには更新速度が小さくなるので、所望の画像が次の画像に更新される前に、容易に停止指示を入力することができる。
なお、更新速度は、更新順序に関わらず正の値であることとする。
【００１１】
請求項４記載の発明は、請求項３記載の画像表示装置において、
前記表示部は、当該表示部における画像の更新枚数を示すインジケータを、画像とともに表示することを特徴とする。
【００１２】
請求項４記載の発明によれば、表示部における画像の更新枚数を示すインジケータが画像とともに表示部に表示されるので、或る画像で更新を停止させたい場合に、更新速度が大きくて当該画像を過ぎてしまっても、表示部のインジケータを参照することにより、所望の画像が何枚前に表示されたのかを知ることができる。従って、表示部に逆の順序で画像を更新させた場合に、所望の画像の表示タイミングで確実に表示画像の更新を停止させることができる。
【００１３】
請求項５記載の発明は、請求項３記載の画像表示装置において、
前記表示部における画像の更新の度に音声を出力する音声出力装置を備えることを特徴とする。
【００１４】
請求項５記載の発明によれば、表示部における画像の更新の度に音声出力装置から音声が出力されるので、或る画像で更新を停止させたい場合に、更新速度が大きくて当該画像を過ぎてしまっても、音声出力装置からの出力をカウントすることにより、所望の画像が何枚前に表示されたのかを知ることができる。従って、表示部に逆の順序で画像を更新させた場合に、所望の画像の表示タイミングで確実に表示画像の更新を停止させることができる。
【００１５】
請求項６記載の発明は、請求項１〜５の何れか一項に記載の画像表示装置において、
前記表示部における画像の更新速度の変更を指示する速度変更指示がユーザーから入力される第２入力部を備え、
前記データ処理部は、前記第２入力部に前記速度変更指示が入力されると、この速度変更指示に基づいて、前記表示部における画像の更新速度と、前記所定枚数とを変更することを特徴とする。
【００１６】
請求項６記載の発明によれば、第２入力部に入力される速度変更指示に基づいて、表示部における画像の更新速度が変更されるので、ユーザーは好みの更新速度で画像を更新させることができる。また、モアレが生じないよう、フィルター部の振幅周波数特性を設定することができる。
【００１７】
また、速度変更指示に基づいて前記所定枚数が変更されるので、例えば、更新速度が大きい場合には前記所定枚数を多くすることによって多くの画像を平均化して表示させ、表示される画像の相関を高めることができる。また、更新速度が小さい場合には前記所定枚数を少なくすることによって表示タイミングの画像の識別性を高めることができ、さらには、前記所定枚数を０枚とすることによって表示タイミングの画像をそのまま表示させるようにすることができる。
【００１８】
請求項７記載の発明は、請求項６記載の画像表示装置において、
前記フィルター部は、
前記表示部に所定更新速度以上の更新速度で画像を更新させる場合に、前記表示タイミングの画像を、前記所定枚数の画像とそれぞれ別個の重み係数で重み付け平均して前記表示部に表示させ、
前記第２入力部に前記速度変更指示が入力された場合に、当該フィルター部の振幅周波数特性が更新速度の変更の前後でほぼ一定となるよう、更新速度に基づいて前記重み係数を設定することを特徴とする。
【００１９】
ここで、フィルター部の振幅周波数特性とは、各画素についての信号値の振幅と周波数との関係曲線で表されるものである。
また、振幅周波数特性が更新速度の変更の前後でほぼ一定であるとは、例えば、複数枚の黒色ベタ画像の間に１枚だけ白色ベタ画像を挿入して画像を連続表示した場合に、出力値の変化を離散フーリエ変換して得られる振幅周波数曲線において、振幅が５０％（または０．５）になる周波数の変化率が、更新速度の変更の前後で±５０%の範囲内に収まることをいう。
【００２０】
請求項７記載の発明によれば、第２入力部に速度変更指示が入力されることによって表示部における画像の更新速度が変更されても、フィルター部の振幅周波数特性が更新速度の変更の前後でほぼ一定となるので、請求項１または２記載の発明と同様の効果を得ることができる。
【００２１】
請求項８記載の発明は、請求項１〜７の何れか一項に記載の画像表示装置において、
前記データ処理部は、
前記表示部における表示画像の一部または全体のコントラスト、彩度及び解像度の少なくとも１つを、画像の更新速度に基づいて変化させることを特徴とする。
【００２２】
請求項８記載の発明によれば、データ処理部は表示部における表示画像の一部または全体のコントラスト、彩度及び解像度の少なくとも１つを画像の更新速度に基づいて変化させるので、更新速度が大きい場合であっても、ユーザーに対する視覚的な刺激を低減することができる。従って、従来と比較してユーザーのストレスを確実に低減することができる。
【００２３】
なお、表示画像の一部とは、視認性の大きい領域であることが好ましく、例えば画面の中央部などである。
【００２４】
請求項９記載の発明は、画像表示方法であって、
画像データをデータ送信装置から表示装置に送信するデータ送信工程と、
前記表示装置によって画像を表示する表示工程と、
前記表示装置と前記データ送信装置との間で画像データをデータ処理することにより、前記表示装置に画像を所定の順序で更新させるデータ処理工程とを備え、
前記データ処理工程においては、
表示タイミングの画像を、この画像の前後に表示される所定枚数の画像と平均化して前記表示装置に表示させるとともに、前記表示装置における画像の更新速度に基づいて前記所定枚数を変更するフィルター処理工程を行うことを特徴とする。
また、請求項１０記載の発明は、画像表示方法であって、
画像データをデータ送信装置から表示装置に送信するデータ送信工程と、
前記表示装置によって画像を表示する表示工程と、
前記表示装置と前記データ送信装置との間で画像データをデータ処理することにより、前記表示装置に画像を所定の順序で更新させるデータ処理工程とを備え、
前記データ処理工程においては、
表示タイミングの画像を、この画像の前後に表示される所定枚数の画像とそれぞれ別個の重み係数で重み付け平均して前記表示装置に表示させるとともに、前記表示装置における画像の更新速度に基づいて前記重み係数を変更するフィルター処理工程を行うことを特徴とする。
【００２５】
請求項９記載の発明によれば、表示タイミングの画像を、この画像の前後に表示される所定枚数の画像と平均化して表示装置に表示させ、表示装置における画像の更新速度に基づいて前記所定枚数を変更することにより、従来と比較して、表示される画像間の相関が高くなる。従って、画像の更新により生じる点滅が低減されるため、従来と異なり、ユーザーにストレスを感じさせることなく複数枚の静止画像を切り替えて表示することができる。
また、請求項１０記載の発明によれば、表示タイミングの画像を、この画像の前後に表示される所定枚数の画像とそれぞれ別個の重み係数で重み付け平均して表示装置に表示させ、表示装置における画像の更新速度に基づいて前記重み係数を変更することにより、従来と比較して、表示される画像間の相関が高くなる。従って、画像の更新により生じる点滅が低減されるため、従来と異なり、ユーザーにストレスを感じさせることなく複数枚の静止画像を切り替えて表示することができる。
【００２６】
請求項１１記載の発明は、請求項９または１０記載の画像表示方法において、
前記データ処理工程においては、
前記表示装置における画像の表示順序の反転を指示する反転指示に基づいて、更新速度を小さくして前記表示装置に画像を前記所定の順序と逆の順序に更新させ、
前記表示装置における画像の更新の停止を指示する停止指示に基づいて、表示タイミングの画像を前記表示装置に表示させるとともに、前記表示装置における画像の更新を停止させることを特徴とする。
【００２７】
請求項１１記載の発明によれば、或る画像で表示の更新を停止させたい場合に、更新速度が大きくて当該画像を過ぎてしまっても、反転指示を入力することにより、表示装置が画像を逆の順序に更新するので、所望の画像が再度表示されたときに停止指示を入力し、画像の更新を停止させることができる。また、表示装置が逆の順序で画像を更新するときには更新速度が小さくなるので、所望の画像が次の画像に更新される前に、容易に停止指示を入力することができる。
【００２８】
請求項１２記載の発明は、請求項１１記載の画像表示方法において、
前記表示工程においては、前記表示装置における画像の更新枚数を示すインジケータを、画像とともに表示することを特徴とする。
【００２９】
請求項１２記載の発明によれば、或る画像で更新を停止させたい場合に、更新速度が大きくて当該画像を過ぎてしまっても、表示装置におけるインジケータを参照することにより、所望の画像が何枚前に表示されたのかを知ることができる。従って、表示装置に逆の順序で画像を更新させた場合に、所望の画像の表示タイミングで確実に表示画像の更新を停止させることができる。
【００３０】
請求項１３記載の発明は、請求項１１記載の画像表示方法において、
前記表示工程においては、前記表示装置における画像の更新の度に音声出力装置から音声を出力することを特徴とする。
【００３１】
請求項１３記載の発明によれば、或る画像で更新を停止させたい場合に、更新速度が大きくて当該画像を過ぎてしまっても、音声出力装置から出力される音声をカウントすることにより、所望の画像が何枚前に表示されたのかを知ることができる。従って、表示装置に逆の順序で画像を更新させた場合に、所望の画像の表示タイミングで確実に表示画像の更新を停止させることができる。
【００３２】
請求項１４記載の発明は、請求項９〜１３の何れか一項に記載の画像表示方法において、
前記データ処理工程においては、
前記表示装置における画像の更新速度の変更を指示する速度変更指示に基づいて、前記表示装置における画像の更新速度と、前記所定枚数とを変更することを特徴とする。
【００３３】
請求項１４記載の発明によれば、速度変更指示を入力することにより、表示装置における画像の更新速度を変更することができるので、ユーザーは好みの更新速度で画像を更新させることができる。また、モアレが生じないよう、フィルター処理工程における振幅周波数特性を設定することができる。
また、速度変更指示によって前記所定枚数を変更することにより、例えば、更新速度が大きい場合には前記所定枚数を多くすることによって多くの画像を平均化して表示させ、表示される画像の相関を高めることができる。また、更新速度が小さい場合には前記所定枚数を少なくすることによって表示タイミングの画像の識別性を高めることができ、さらには、前記所定枚数を０枚とすることによって表示タイミングの画像をそのまま表示させるようにすることができる。
【００３４】
請求項１５記載の発明は、請求項１４記載の画像表示方法において、
前記フィルター処理工程においては、
前記表示装置に所定更新速度以上の更新速度で画像を更新させる場合に、前記表示タイミングの画像を、前記所定枚数の画像とそれぞれ別個の重み係数で重み付け平均して前記表示装置に表示させ、
前記速度変更指示に基づいて、前記フィルター処理工程における振幅周波数特性が更新速度の変更の前後でほぼ一定となるよう、更新速度に基づいて前記重み係数を設定することを特徴とする。
【００３５】
請求項１５記載の発明によれば、速度変更指示によって表示装置における画像の更新速度を変更しても、フィルター処理工程における振幅周波数特性を、更新速度の変更の前後でほぼ一定とすることにより、請求項９または１０記載の発明と同様の効果を得ることができる。
【００３６】
請求項１６記載の発明は、請求項９〜１５の何れか一項に記載の画像表示方法において、
前記データ処理工程においては、
前記表示装置における表示画像の一部または全体のコントラスト、彩度及び解像度の少なくとも１つを、画像の更新速度に基づいて変化させることを特徴とする。
【００３７】
請求項１６記載の発明によれば、更新速度が大きい場合であっても、データ処理工程において、表示装置における表示画像の一部または全体のコントラスト、彩度及び解像度の少なくとも１つを画像の更新速度に基づいて変化させることにより、ユーザーに対する視覚的な刺激を低減することができる。従って、従来と比較してユーザーのストレスを確実に低減することができる。
【００３８】
請求項１７記載の発明は、画像表示プログラムであって、
画像データをデータ送信装置から表示装置に送信するデータ送信処理と、
前記表示装置によって画像を表示する表示処理と、
前記表示装置と前記データ送信装置との間で画像データをデータ処理することにより、前記表示装置に画像を所定の順序で更新させるデータ処理とを行うためのコンピューターに、
前記データ処理においては、
表示タイミングの画像を、この画像の前後に表示される所定枚数の画像と平均化して前記表示装置に表示させるとともに、前記表示装置における画像の更新速度に基づいて前記所定枚数を変更するフィルター処理を行わせることを特徴とする。
また、請求項１８記載の発明は、画像表示プログラムであって、
画像データをデータ送信装置から表示装置に送信するデータ送信処理と、
前記表示装置によって画像を表示する表示処理と、
前記表示装置と前記データ送信装置との間で画像データをデータ処理することにより、前記表示装置に画像を所定の順序で更新させるデータ処理とを行うためのコンピューターに、
前記データ処理においては、
表示タイミングの画像を、この画像の前後に表示される所定枚数の画像とそれぞれ別個の重み係数で重み付け平均して前記表示装置に表示させるとともに、前記表示装置における画像の更新速度に基づいて前記重み係数を変更するフィルター処理を行わせることを特徴とする。
【００３９】
請求項１７記載の発明によれば、表示タイミングの画像を、この画像の前後に表示される所定枚数の画像と平均化して表示装置に表示させ、表示装置における画像の更新速度に基づいて前記所定枚数を変更するので、従来と比較して、表示される画像間の相関が高くなる。従って、画像の更新により生じる点滅が低減されるため、従来と異なり、ユーザーにストレスを感じさせることなく複数枚の静止画像を切り替えて表示することができる。
また、請求項１８記載の発明によれば、表示タイミングの画像を、この画像の前後に表示される所定枚数の画像とそれぞれ別個の重み係数で重み付け平均して表示装置に表示させ、表示装置における画像の更新速度に基づいて前記重み係数を変更するので、従来と比較して、表示される画像間の相関が高くなる。従って、画像の更新により生じる点滅が低減されるため、従来と異なり、ユーザーにストレスを感じさせることなく複数枚の静止画像を切り替えて表示することができる。
【００４０】
請求項１９記載の発明は、請求項１７または１８記載の画像表示プログラムにおいて、
前記コンピューターに、
前記表示装置における画像の表示順序の反転を指示する反転指示がユーザーから指示されると、更新速度を小さくして前記表示装置に画像を前記所定の順序と逆の順序に更新させ、
前記表示装置における画像の更新の停止を指示する停止指示がユーザーから指示されると、表示タイミングの画像を前記表示装置に表示させるとともに、前記表示装置における画像の更新を停止させることを特徴とする。
【００４１】
請求項１９記載の発明によれば、或る画像で表示の更新を停止させたい場合に、更新速度が大きくて当該画像を過ぎてしまっても、反転指示を入力することにより、表示装置に画像を逆の順序に更新させるので、所望の画像が再度表示されたときに停止指示を入力し、画像の更新を停止させることができる。また、表示装置が逆の順序で画像を更新するときには、更新速度を小さくさせるので、所望の画像が次の画像に更新される前に、容易に停止指示を入力することができる。
【００４２】
請求項２０記載の発明は、請求項１９記載の画像表示プログラムにおいて、
前記コンピューターに、前記表示装置における画像の更新枚数を示すインジケータを、画像とともに表示させることを特徴とする。
【００４３】
請求項２０記載の発明によれば、画像の更新枚数を示すインジケータを画像とともに表示装置に表示させるので、或る画像で更新を停止させたい場合に、更新速度が大きくて当該画像を過ぎてしまっても、表示装置におけるインジケータを参照することにより、所望の画像が何枚前に表示されたのかを知ることができる。従って、表示装置に逆の順序で画像を更新させた場合に、所望の画像の表示タイミングで確実に表示画像の更新を停止させることができる。
【００４４】
請求項２１記載の発明は、請求項１９記載の画像表示プログラムにおいて、
前記コンピューターに、前記表示装置における画像の更新の度に音声出力装置から音声を出力させることを特徴とする。
【００４５】
請求項２１記載の発明によれば、表示装置における画像の更新の度に音声出力装置から音声を出力させるので、或る画像で更新を停止させたい場合に、更新速度が大きくて当該画像を過ぎてしまっても、表示装置における画像の更新の度に音声出力装置から出力される音声をカウントすることにより、所望の画像が何枚前に表示されたのかを知ることができる。従って、表示装置に逆の順序で画像を更新させた場合に、所望の画像の表示タイミングで確実に表示画像の更新を停止させることができる。
【００４６】
請求項２２記載の発明は、請求項１７〜２１の何れか一項に記載の画像表示プログラムにおいて、
前記コンピューターに、
前記表示装置における画像の更新速度の変更を指示する速度変更指示がユーザーから指示されると、この速度変更指示に基づいて、前記表示装置における画像の更新速度と、前記所定枚数とを変更させることを特徴とする。
【００４７】
請求項２２記載の発明によれば、速度変更指示に基づいて、表示装置における画像の更新速度を変更させるので、ユーザーは好みの更新速度で画像を更新させることができる。また、モアレが生じないよう、フィルター処理における振幅周波数特性を設定することができる。
また、速度変更指示によって前記所定枚数を変更させることにより、例えば、更新速度が大きい場合には前記所定枚数を多くすることによって多くの画像を平均化して表示させ、表示される画像の相関を高めることができる。また、更新速度が小さい場合には前記所定枚数を少なくすることによって表示タイミングの画像の識別性を高めることができ、さらには、前記所定枚数を０枚とすることによって表示タイミングの画像をそのまま表示させるようにすることができる。
【００４８】
請求項２３記載の発明は、請求項２２記載の画像表示プログラムにおいて、
前記コンピューターに、
前記表示タイミングの画像を、前記所定枚数の画像とそれぞれ別個の重み係数で重み付け平均して前記表示装置に表示させ、
前記速度変更指示がユーザーから指示された場合に、前記フィルター処理における振幅周波数特性が更新速度の変更の前後でほぼ一定となるよう、更新速度に基づいて前記重み係数を設定させることを特徴とする。
【００４９】
請求項２３記載の発明によれば、速度変更指示が入力されることによって表示装置における画像の更新速度が変更されても、フィルター処理における振幅周波数特性を更新速度の変更の前後でほぼ一定とさせるので、請求項１７または１８記載の発明と同様の効果を得ることができる。
【００５０】
請求項２４記載の発明は、請求項１７〜２３の何れか一項に記載の画像表示プログラムにおいて、
前記コンピューターに、
前記表示装置における表示画像の一部または全体のコントラスト、彩度及び解像度の少なくとも１つを、画像の更新速度に基づいて変化させることを特徴とする。
【００５１】
請求項２４記載の発明によれば、更新速度が大きい場合であっても、データ処理において、表示装置における表示画像の一部または全体のコントラスト、彩度及び解像度の少なくとも１つを画像の更新速度に基づいて変化させるので、ユーザーに対する視覚的な刺激を低減することができる。従って、従来と比較してユーザーのストレスを確実に低減することができる。
【発明の効果】
【００５２】
請求項１，２，９，１０，１７，１８記載の発明によれば、画像の更新により生じる点滅が低減されるため、従来と異なり、ユーザーにストレスを感じさせることなく複数枚の静止画像を切り替えて表示することができる。
【００５３】
請求項３，１１，１９記載の発明によれば、請求項１，２，９，１０，１７，１８記載の発明と同様の効果を得ることができるのは勿論のこと、所望の画像が再度表示されたときに停止指示を入力し、画像の更新を停止させることができる。また、所望の画像が次の画像に更新される前に、容易に停止指示を入力することができる。
【００５４】
請求項４，５，１２，１３，２０，２１記載の発明によれば、請求項３，１１，１９記載の発明と同様の効果を得ることができるのは勿論のこと、表示部に逆の順序で画像を更新させた場合に、所望の画像の表示タイミングで確実に表示画像の更新を停止させることができる。
【００５５】
請求項６，１４，２２記載の発明によれば、請求項１〜５，９〜１３，１７〜２１の何れか一項に記載の発明と同様の効果を得ることができるのは勿論のこと、ユーザーは好みの更新速度で画像を更新させることができる。
【００５６】
請求項７，１５，２３記載の発明によれば、請求項１，２，９，１０，１７，１８記載の発明と同様の効果を得ることができる。
【００５７】
請求項８，１６，２４記載の発明によれば、請求項１〜７、９〜１５，１７〜２３の何れか一項に記載の発明と同様の効果を得ることができるのは勿論のこと、更新速度が大きい場合であっても、ユーザーに対する視覚的な刺激を低減することができる。従って、従来と比較してユーザーのストレスを確実に低減することができる。
【発明を実施するための最良の形態】
【００５８】
以下、本発明の実施形態について図面を参照して説明する。なお、以下の実施の形態において、画像とは、デジタルの静止画像をいう。
【００５９】
［実施の形態］
まず、本発明に係る画像表示装置について説明する。図１は画像表示装置１の概略構成を示すブロック図である。
【００６０】
この図に示すように、画像表示装置１は、画像を表示するディスプレイ（表示部、表示装置）２や、複数枚の画像を記憶するＨＤＤ３を備えている。
ディスプレイ２は、少なくとも毎秒３０フレームのカラー画像を表示可能となっている。このようなディスプレイ２としては、例えば、カラーＣＲＴやカラー液晶、ＰＤＰ等が用いられている。なお、本実施の形態においては、ディスプレイ２における画像の走査速度（リフレッシュレート）が毎秒３０フレームで一定として説明するが、可変としても良い。
【００６１】
ＨＤＤ３は、画像データを画像データベースの形態で記憶しており、本実施の形態においては、各画像データに通し番号を付して記憶している。また、ＨＤＤ３内において、画像データは、撮影日時に基づいて配列されている。
【００６２】
また、ＨＤＤ３の画像データベースでは、人間を撮影した画像の画像データには、被写体の顔部分の位置情報（以下、顔位置情報とする）が対応付けられて記憶されている。なお、画像中の顔部分の位置を検出するには、例えば「Ｎｅｏ  Ｆａｃｅ」（製品名：日本電気株式会社製）等のソフトウェアを用いることができる。
【００６３】
ＨＤＤ３及びディスプレイ２の間には、画像メモリバッファ（データ送信部、データ送信装置）４とデータ処理部（コンピューター）５とが介在している。
画像メモリバッファ４は、データ処理部５からの指示に基づいてＨＤＤ３から画像データと前記顔位置情報とを所定の順序（以下、便宜的に順方向の順序とする）または逆の順序（以下、逆方向の順序とする）で読み出し、データ処理部５に送信するものである。
【００６４】
データ処理部５は、画像メモリバッファ４及びディスプレイ２を制御可能となっており、画像更新部（フィルター部）５０や画像処理部５３、カウンタ部５４、更新制御部５５等を備えている。
【００６５】
これら画像更新部５０、画像処理部５３、カウンタ部５４及び更新制御部５５等は、本発明に係る画像表示プログラムがＲＯＭからＣＰＵによって読み出されてＲＡＭ内の作業領域に展開されることにより、機能を発揮するものである。
【００６６】
ここで、画像更新部５０は、画像メモリバッファ４から送信される画像データに基づいてディスプレイ２に複数の画像を前記順方向の順序または前記逆方向の順序で更新させるものであり、平均化処理部５１及び重み係数設定部５２を備えている。
【００６７】
平均化処理部５１は、いわゆるローパスフィルターとして機能するものであり、ディスプレイ２に毎秒６フレーム以上の更新速度で画像を更新させる場合には、表示タイミングの画像を、この画像の前後に表示される２枚ずつ、計４枚の画像と重み付け平均してディスプレイ２に表示させるようになっている。また、平均化処理部５１は、ディスプレイ２に毎秒６フレーム未満の更新速度で画像を更新させる場合には表示タイミングの画像をほぼそのままディスプレイ２に表示させるようになっている。なお、画像を重み付け平均するとは、画像の信号値をディスプレイ２の画素毎に重み係数と乗算して平均化することである。
【００６８】
具体的には、平均化処理部５１は、図２に示すように、バッファ５１１ａ〜５１１ｅと、乗算回路５１２ａ〜５１２ｅと、加算回路５１３とを備えている。
【００６９】
バッファ５１１ａ〜５１１ｄは、内部に記憶した画像データを下流側（図中右側）のバッファ５１１ｂ〜５１１ｅと、乗算回路５１２ａ〜５１２ｄとに所定のタイミングで送信するとともに、新たに受信した画像データを記憶するものである。また、バッファ５１１ｅは、内部に記憶した画像データを乗算回路５１２ｅに所定のタイミングで送信するとともに、新たに受信した画像データを記憶するものである。以下、説明の便宜上、バッファ５１１ａ〜５１１ｅに記憶されている画像データを、第ｉ−２フレーム〜第ｉ＋２フレームの画像データとし、表示タイミングの画像を第ｉフレームの画像とする。
【００７０】
乗算回路５１２ａ〜５１２ｅは、バッファ５１１ａ〜５１１ｅから受信した第ｉ−２フレーム〜第ｉ＋２フレームの画像データと、重み係数設定部５２から受信した後述の重み係数Ｗi-2〜Ｗi+2とを乗算し、その結果を加算回路５１３に送信するものである。
【００７１】
加算回路５１３は、乗算回路５１２ａ〜５１２ｅから受信した画像データを加算し、画像処理部５３に送信するものである。
【００７２】
重み係数設定部５２は、重み係数Ｗi-2〜Ｗi+2を設定するものであり、後述の更新制御部５５によってディスプレイ２での画像の更新速度が変更された場合にも、平均化処理部５１の振幅周波数特性がほぼ一定となるよう、更新速度に基づいて重み係数Ｗi-2〜Ｗi+2を設定するようになっている。ここで、本実施の形態においては、更新速度の変更の前後で振幅周波数特性がほぼ一定であるとは、複数枚の黒色ベタ画像の間に１枚だけ白色ベタ画像を挿入して画像を連続表示した場合に、出力値の変化を離散フーリエ変換して得られる振幅周波数曲線において、振幅が５０％（または０．５）になる周波数の変化率が、更新速度の変更の前後で±５０%の範囲内、つまり３〜９フレーム／秒の範囲内に収まることをいう。なお、以下の説明においては、便宜的に、Ｗi-1＝Ｗi+1、Ｗi-2＝Ｗi+2、Ｗi-2＋Ｗi-1＋Ｗi＋Ｗi+1＋Ｗi+2＝１とする。
【００７３】
具体的には、重み係数設定部５２は、例えば図３の実線に示すような所望の振幅周波数特性に対して、重み係数Ｗi-2〜Ｗi+2の離散フーリエ変換の特性（例えば、図３の破線参照）が同様の特性になるよう、以下の行列式（１）を最小２乗近似することにより、重み係数Ｗi-2〜Ｗi+2を決定するようになっている。
【００７４】
【数１】
0004710252.tif 000002
【００７５】
この（１）式において、行列ＦはＤＦＴ（ディスクリート・フーリエ・トランスフォーム）係数からなる行列であり、Ｌは振幅周波数特性のサンプル数を表している。また、行列Ａは重み係数Ｗi-2〜Ｗi+2の行列であり、行列Ｄは図３に実線で示す振幅周波数特性のサンプル値ｄi（ｉ＝０，１，２，…，Ｌ−１）からなる行列である。
【００７６】
ここで、（１）式の一般的な解法について説明する。未知数ｎ，方程式ｍの不能の方程式系を考えるとき、Ｆをｍ×ｎの行列とすると、ＦＡ＝Ｄの最小２乗解は、以下の（２）式を満たす。但し、ＦT はＦの転置行列を示す。
ＦT ＦＡ＝ＦT Ｄ                          …（２）
【００７７】
従って、Ｆの列が線形独立であれば、ＦT Ｆは逆演算可能となり、一意の最小２乗解が以下の（３）式から得られる。
Ａ＝（ＦT Ｆ）-1ＦT Ｄ                     …（３）
【００７８】
なお、以上のような重み係数Ｗi-2〜Ｗi+2の計算方法は、例えば「信号・画像のディジタル信号処理」（有本 卓著 ，産業図書，Ｐ１５５〜Ｐ１５７）や、特開平７−１２１７０４号公報に開示されている。
【００７９】
画像処理部５３は、平均化処理部５１から送信される画像データをプログレッシブレンダリング処理してディスプレイ２に表示させるものである。但し、この画像処理部５３は、ＨＤＤ３から送信される前記顔位置情報に基づいて、画像中の顔部分にはプログレッシブレンダリング処理を施さないようになっている。
【００８０】
なお、プログレッシブレンダリング処理とは、始めに解像度の低い画像を表示させ、徐々に画像の解像度を高くする処理である。このような処理としては、プログレッシブＪＰＥＧやインターレスＧＩＦ等と同様の処理を用いることができる。
【００８１】
カウンタ部５４は、画像更新部５０から送信される情報に基づいてディスプレイ２における画像の更新回数をカウントし、図４に示すように、更新枚数を示すインジケータＩをディスプレイ２の画面端部に表示させるものである。なお、本実施の形態においては、インジケータＩは正方向への画像更新の度に時計回りに４５度回転し、逆方向への画像更新の度に反時計回りに４５度回転するようになっているが、この角度は適宜変更可能であり、例えば２２，５度などとしても良い。
【００８２】
更新制御部５５は、画像更新部５０によるディスプレイ２での画像の更新を制御するものである。
具体的には、更新制御部５５は、後述の入力装置６から送信される停止指示信号を画像メモリバッファ４に送信することにより、画像メモリバッファ４から画像更新部５０への画像データの送信を停止させるようになっている。また、更新制御部５５は、重み係数設定部５２を介して前記停止指示信号を平均化処理部５１に送信することにより、画像更新部５０からディスプレイ２への画像データの送信を停止させるようになっている。
【００８３】
また、更新制御部５５は、入力装置６から送信される速度変更指示信号に基づいて、画像メモリバッファ４から画像更新部５０への画像データの送信速度と、画像更新部５０からディスプレイ２への画像データの送信速度とを変更することにより、ディスプレイ２での画像の更新速度を変更するようになっている。
【００８４】
また、更新制御部５５は、入力装置６から送信される反転指示信号に基づいて画像メモリバッファ４によるＨＤＤ３からの画像データの読み出し順序を逆方向の順序にすることにより、ディスプレイ２での画像の更新順序を反転するようになっている。
【００８５】
また、更新制御部５５は、図５に示すように、ディスプレイ２での画像の更新順序を反転した場合には、画像の更新速度を小さくするようになっている。更に、更新制御部５５は、前記反転指示信号を受信してから前記停止指示信号を受信するまでの時間に基づいて、順方向の画像更新中にユーザーが所望の画像を認識してから後述の停止ボタン６１を押すまでに更新される画像枚数（以下、通過枚数とする）を算出して記憶しておき、次に前記反転指示信号を受信したら、記憶した通過枚数付近、例えば通過枚数の半分の枚数から画像の更新速度を小さくするようになっている。好ましくは、更新制御部５５は、反転指示信号及び停止指示信号を受信する度に、前記通過枚数を修正する学習機能を備えている。
【００８６】
以上のデータ処理部５には、図１に示すように、入力装置（第１入力部、第２入力部）６が接続されている。
入力装置６は、停止ボタン６１、反転ボタン６２及び速度調整ダイヤル６３を備えている。
【００８７】
停止ボタン６１には、ディスプレイ２における画像の更新の停止指示がユーザーから入力されるようになっている。
反転ボタン６２には、ディスプレイ２における画像の更新順序の反転指示がユーザーから入力されるようになっている。
速度調整ダイヤル６３には、ディスプレイ２における画像の更新速度の速度変更指示がユーザーから入力されるようになっている。
【００８８】
続いて、本発明に係る画像表示方法について説明する。
まず、データ処理部５の重み係数設定部５２が、図６に示す手順で重み係数Ｗi-2〜Ｗi+2を設定する。
【００８９】
具体的には、まず、ユーザーが重み係数設定部５２に対し、図３の実線に示されるような振幅周波数特性を設定する（ステップＳ１）。なお、図３の実線の振幅周波数特性では、毎秒６フレームを境にして応答値が変化しているが、ユーザーの視覚が過敏でない場合には、例えば毎秒１５フレームを境にして応答値が変化するような振幅周波数特性を設定することとしても良い。
【００９０】
次に、ユーザーが入力装置６の速度調整ダイヤル６３によって画像の更新速度を設定すると、重み係数設定部５２は、速度調整ダイヤル６３から送信される情報に基づいて画像の更新速度を計算する（ステップＳ２）。
【００９１】
次に、重み係数設定部５２は、ステップＳ１で設定された振幅周波数特性を、画像更新速度に対するディスプレイ２の走査速度で正規化し、この走査速度での振幅周波数特性を計算する（ステップＳ３）。
【００９２】
そして、重み係数設定部５２は、ステップＳ３で計算された振幅周波数特性に対し、重み係数Ｗi-2〜Ｗi+2の離散フーリエ変換の特性が同様の特性となるよう、５つの重み係数Ｗi-2〜Ｗi+2を算出する（ステップＳ４）。
【００９３】
次に、画像メモリバッファ４がＨＤＤ３から画像データを順次読み出し、データ処理部５を介してディスプレイ２に送信する（データ送信工程）。
【００９４】
画像メモリバッファ４から画像データを受信したら、データ処理部５は、データ送信を制御するとともに、コンボリューション（畳み込み積分）の手法を用いて第ｉフレームの画像データを、第ｉ−２フレーム，第ｉ−１フレーム，第ｉ＋１フレーム及び第ｉ＋２フレームの画像データと重み付け平均して画像処理部５３に送信する（データ処理工程）。
【００９５】
具体的には、まず、平均化処理部５１の乗算回路５１２ａ〜５１２ｅに対して、バッファ５１１ａ〜５１１ｅが内部の画像データを送信するとともに、重み係数設定部５２が重み係数Ｗi-2〜Ｗi+2を送信する。次に、乗算回路５１２ａ〜５１２ｅが画像データと重み係数Ｗi-2〜Ｗi+2とを乗算して加算回路５１３に送信する。そして、加算回路５１３が画像データを加算し、画像処理部５３に送信する。
【００９６】
このとき、更新速度が所定更新速度、例えば６フレーム／秒未満である場合には、重み係数Ｗiの値に対して重み係数Ｗi-2，Ｗi-1の値が小さく設定されるため、第ｉフレームの画像データがほぼそのままの状態で画像処理部５３に送信される。このように、ディスプレイ２に所定更新速度未満の更新速度で画像を更新させる場合に、第ｉフレームの画像データを、ほぼそのまま画像処理部５３に送信することにより、ディスプレイ２で表示される画像の識別性が高くなる。
【００９７】
一方、更新速度が所定更新速度以上である場合には、重み係数Ｗiの値に対して重み係数Ｗi-2，Ｗi-1の値が大きく設定されるため、第ｉフレームの画像データが第ｉ−２フレーム，第ｉ−１フレーム，第ｉ＋１フレーム及び第ｉ＋２フレームの画像データと重み付け平均されて画像処理部５３に送信される。このように、ディスプレイ２に所定更新速度以上の更新速度で画像を更新させる場合に、第ｉフレームの画像データを、この画像データの前後に表示される第ｉ−２フレーム，第ｉ−１フレーム，第ｉ＋１フレーム及び第ｉ＋２フレームの画像データと平均化して画像処理部５３に送信することにより、従来と比較して、ディスプレイ２で表示される画像間の相関が高くなる。
【００９８】
次に、画像処理部５３が、平均化処理部５１から送信される画像データをプログレッシブレンダリング処理してディスプレイ２に表示させる（表示工程）。これにより、画像の更新による視覚的な刺激を低減する。但し、画像処理部５３はＨＤＤ３からの前記顔位置情報に基づいて、画像中の顔部分にはプログレッシブレンダリング処理を施さないため、画像中の顔部分は、始めから高解像度に表示される。これにより、画像の識別性の低下が防止される。
また、カウンタ部５４が、インジケータＩをディスプレイ２の画面の端部に表示させる。
【００９９】
以降、画像更新部５０が、ディスプレイ２に複数の画像を正方向の順序で更新して表示させる。また、カウンタ部５４が、インジケータＩによって画像の更新枚数を表示する。これにより、更新速度が大きくて所望の画像を過ぎてしまっても、当該画像が何枚前に表示されたのかを把握することが可能となる。
【０１００】
続いて、画像の連続表示中にユーザーが速度調整ダイヤル６３を操作した場合の画像表示装置１の動作について説明する。
【０１０１】
この場合には、更新制御部５５は、入力装置６からの速度変更指示信号に基づいて、画像メモリバッファ４から画像更新部５０への画像データの送信速度と、画像更新部５０からディスプレイ２への画像データの送信速度とを変更することにより、ディスプレイ２での画像の更新速度を変更する。
【０１０２】
また、更新制御部５５は、平均化処理部５１のフィルター特性が更新速度の変更の前後でほぼ一定となるよう、上述のステップＳ２〜ステップＳ４と同様に、更新速度に基づいて重み係数Ｗi-2〜Ｗi+2を変更する。これにより、変更後の更新速度が小さい場合には、第ｉフレームの画像データがほぼそのままの状態で画像処理部５３に送信され、変更後の更新速度が大きい場合には、第ｉフレームの画像データが第ｉ−２フレーム，第ｉ−１フレーム，第ｉ＋１フレーム及び第ｉ＋２フレームの画像データと重み付け平均されて画像処理部５３に送信される。
【０１０３】
なお、このとき更新制御部５５は、重み係数Ｗi-2，Ｗi-1，Ｗi+1，Ｗi+2の何れかの値を０とすることにより、第ｉフレームの画像データと重み付け平均される画像データの枚数を変更することとしても良い。更に、更新制御部５５は、重み係数Ｗi-2，Ｗi-1，Ｗi+1，Ｗi+2の全てを０とすることにより、第ｉフレームの画像をそのまま表示させることとしても良い。
【０１０４】
続いて、画像の連続表示中にユーザーが停止ボタン６１を操作した場合の画像表示装置１の動作について説明する。
【０１０５】
この場合には、更新制御部５５は、表示タイミングの画像をディスプレイ２に表示させ、ディスプレイ２における画像の更新を停止させる。具体的には、更新制御部５５は、入力装置６からの停止指示信号を画像メモリバッファ４及び画像更新部５０に送信することにより、画像メモリバッファ４から画像更新部５０への画像データの送信と、画像更新部５０からディスプレイ２への画像データの送信とを停止させる。これにより、ディスプレイ２に表示タイミングの画像が表示された状態で、画像の更新が停止する。
【０１０６】
続いて、画像の連続表示中にユーザーが反転ボタン６２を操作した場合の画像表示装置１の動作について説明する。
【０１０７】
この場合には、更新制御部５５は、更新速度を小さくしてディスプレイ２に画像を所定の順序と逆の順序に更新させる。これにより、更新速度が大きくて所望の画像を過ぎてしまっても、画像が逆の順序に更新されて所望の画像が再度表示される。
【０１０８】
また、カウンタ部５４は、画像の更新の度にインジケータＩを反時計回りに４５度回転させる。これにより、画像を逆方向の順序に更新させる場合に、所望の画像が何枚先に表示されるのかを把握することが可能となる。
【０１０９】
以上の画像表示方法によれば、ディスプレイ２に所定更新速度以上の更新速度で画像を更新させる場合に、従来と比較して、ディスプレイ２で表示される画像間の相関を高くすることができるため、画像の更新により生じる点滅を低減することができる。従って、従来と異なり、ユーザーにストレスを感じさせることなく複数枚の静止画像を切り替えてディスプレイ２に表示させることができる。
【０１１０】
また、或る画像で表示の更新を停止させたい場合に、更新速度が大きくて所望の画像を過ぎてしまっても、反転ボタン６２を操作することによって画像を逆の順序に更新させ、当該画像を再度表示させることができるため、この画像が再度表示されたときに停止ボタン６１を操作し、画像の更新を停止させることができる。また、ディスプレイ２が逆の順序で画像を更新するときには更新速度が小さくなるので、所望の画像が次の画像に更新される前に、容易に停止ボタン６１を操作することができる。更に、ディスプレイ２が逆の順序で画像を更新するときにインジケータＩを参照することにより、所望の画像が何枚先に表示されるのかを予め知ることができるため、所望の画像の表示タイミングで確実に表示画像の更新を停止させることができる。
【０１１１】
また、速度調整ダイヤル６３を操作することにより、ディスプレイ２における画像の更新速度を変更することができるので、ユーザーは好みの更新速度で画像を更新させることができる。また、モアレが生じないよう、平均化処理部５１の振幅周波数特性を設定することができる。
【０１１２】
なお、上記の実施の形態においては、コンボリューションの手法を用いることによって第ｉ−２フレーム〜第ｉ＋２フレームの画像データを重み付け平均することとして説明したが、これらの画像データに対して離散フーリエ変換を行い、得られたスペクトルに重み付け演算を行い、演算結果を逆フーリエ変換することによって画像データを重み付け平均することとしても良い。この場合には、上述の図３の実線に示すように、或る更新速度（図３では６フレーム毎秒）を境にして急峻に応答値を１から０に確実に変化させることができる。
【０１１３】
また、平均化処理部５０は、ローパスフィルターとして機能することとして説明したが、この機能を入力装置６のスイッチなどによって切り替え可能としても良い。
【０１１４】
また、データ処理部５は、画像メモリバッファ４から送信される画像データを順次データ処理してディスプレイ２に送信することとして説明したが、外部に接続された記憶装置等にデータ処理後の画像データを予め記憶させておき、この記憶装置から画像データを順次ディスプレイ２に送信させることとしても良い。この場合には、リアルタイムにデータ処理を行う必要がない分、ディスプレイ２での画像の更新をより高速化することができる。
【０１１５】
また、データ処理部５は、画像処理部５３によって画像データをプログレッシブレンダリング処理してディスプレイ２に画像を表示させることとして説明したが、サムネイル化して表示させることとしても良い。この場合にも、画像の更新による視覚的な刺激を低減することができる。
【０１１６】
また、データ処理部５は、画像処理部５３によって画像中の顔部分を始めから高解像度に表示させることとして説明したが、顔部分のみを拡大して表示させることとしてもよい。
【０１１７】
また、更新制御部５５は、反転指示信号を受信したらディスプレイ２での画像の更新順序を反転するとともに更新速度を小さくすることとして説明したが、受信時に表示タイミングとなっている画像から所定枚数だけ前に表示された画像までを、選択可能に一覧表示することとしても良い。
【０１１８】
また、平均化処理部５１は、毎秒６フレーム未満の更新速度でディスプレイ２に画像を更新させる場合には複数の画像を重み付け平均しないこととして説明したが、Motion JPEG画像など、連続表示されても視覚的な刺激のない画像をディスプレイ２に連続表示させる場合にも、重み付け平均を行わないこととしても良い。このような画像を識別するには、ＨＤＤ３内で連続して配列された２枚の画像をアフィン変換により拡大や縮小、移動、回転などを行った後に、画像間の相関の大小で識別する手法を用いることができる。
【０１１９】
また、画像の更新速度に基づいて重み係数Ｗi-2〜Ｗi+2を変更することとして説明したが、連続表示される画像間の撮影間隔を画像データ中のタイムスタンプから算出し、この撮影間隔に応じて重み係数Ｗi-2〜Ｗi+2を変更することとしても良い。具体的には、撮影間隔が小さい場合には、画像間の相関が大きいと考えられるため、重み係数Ｗiの値を大きくし、重み係数Ｗi-2，Ｗi-1，Ｗi+1，Ｗi+2の値を小さくすることが好ましい。また、撮影間隔が大きい場合には、画像間の相関が小さいと考えられるため、重み係数Ｗiの値を小さくし、重み係数Ｗi-2，Ｗi-1，Ｗi+1，Ｗi+2の値を大きくすることが好ましい。これにより、相関の大きい画像を連続表示するときには、画像の識別性を高め、相関の小さい画像を連続表示するときには、視覚的な刺激を低減することができる。
【０１２０】
また、平均化処理部５１においては、バッファ５１１ａ〜５１１ｅを用いることによって画像データをパイプライン形式で処理することとして説明したが、サイクリングバッファ形式で処理することとしても良い。
【０１２１】
また、画像の更新枚数をインジケータＩによって示すこととして説明したが、画像の更新の度にスピーカ（音声出力装置）から音声を出力することによって示唆することとしても良い。
【０１２２】
また、ＨＤＤ３中の画像データは、撮影日時に基づいて配列されることとして説明したが、ＲＧＢ値や、輝度に基づいて配列されることとしても良い。更には、ＨＤＤ３は、図７に示すように、画像データベース内に複数の画像グループＧ，…を有することとしても良い。これら画像グループＧ，…は、画像の撮影日時に基づいて形成され、平均輝度の小さい順に配列されることが好ましい。また、各画像グループＧ内の画像データは、平均輝度の小さい順に配列されることが好ましい。このような場合には、ディスプレイ２で高速に画像が連続表示されたときの視覚的な刺激を低減することができる。また、全ての画像データを平均輝度によって配列する場合と比較して、平均輝度を比較する処理回数を低減することができる。
【０１２３】
また、平均化処理部５１のバッファ５１１及び乗算回路５１２の個数は５つであることとして説明したが、他の個数でも良く、多い方が好ましい。
【０１２４】
［実施の形態の変形例］
続いて、画像表示装置１の変形例について説明する。なお、上記実施の形態と同一の構成要素には同一の符号を付し、その説明を省略する。
【０１２５】
本変形例における画像表示装置１ＡのＨＤＤ３は、上述の図７に示すように、画像データを複数の画像グループＧに分けて記憶している。また、平均化処理部５１Ａは、ＨＤＤ３における別個の画像グループＧの画像をディスプレイ２に連続して表示させる場合には、異なる画像グループ間では画像データを平均化せずにディスプレイ２に表示させるようになっている。
【０１２６】
このような画像表示装置１Ａによれば、画像グループＧが切り換わる際に、ディスプレイ２における表示画像が急激に変化するため、異なる画像グループＧの画像が連続して表示されたということを容易に認識することができる。一方、このときに生じる点滅は連続しないため、上記の実施の形態と同様に、ユーザーにストレスを感じさせるのを防止することができる。
【０１２７】
なお、上記の変形例においては、別個の画像グループＧの画像を連続してディスプレイ２に表示させることとして説明したが、間にフリップを挿入して表示させることとしても良い。この場合には、異なる画像グループＧの画像が連続して表示されたということを確実に認識することができる。このようなフリップには、画像の撮影日時やタイトルが表示されることが好ましい。
【図面の簡単な説明】
【０１２８】
【図１】本発明に係る画像表示装置の概略構成を示すブロック図である。
【図２】平均化処理部の概略構成を示すブロック図である。
【図３】振幅周波数特性の一例を示す図である。
【図４】ディスプレイの表示画面を示す図である。
【図５】逆方向に画像を更新する場合の更新速度の変化を示す図である。
【図６】重み係数の算出処理を示すフローチャートである。
【図７】ＨＤＤ内での画像データの配列状態の一例を示す図である。
【符号の説明】
【０１２９】
１（１Ａ）      画像表示装置（コンピューター）
２              ディスプレイ（表示部、表示装置）
４              画像メモリバッファ（データ送信部、データ送信装置）
５              データ処理部（コンピューター）
６              入力装置（第１入力部、第２入力部）
５０            画像更新部（フィルター部）
Ｉ              インジケータ
【図１】
0004710252.tif 000003
【図２】
0004710252.tif 000004
【図３】
0004710252.tif 000005
【図４】
0004710252.tif 000006
【図５】
0004710252.tif 000007
【図６】
0004710252.tif 000008
【図７】
0004710252.tif 000009